(57)【要約】【課題】より単純な作業で、踏み板及び手摺りの高さをそれぞれコーナー部を介して同一とすることができる足場構造を提供する。【解決手段】それぞれ対をなす低ホルダ５Ｌ及び高ホルダ５Ｈを備える支柱Ｐ、長棒状の本体１０１の両端から同一の楔部１０５が同一方向に延出している従来の梁部材１００、及び、長棒状の本体１１の両端から同一の楔部１５が同一方向に延出していると共に、本体１１の端面と楔部１５との間にスリット１７が形成されている梁部材１０を使用する。全ての支柱Ｐをホルダの向きが同一となるように立設し、隣接する支柱の低ホルダ同士を梁部材１００で連結する。高ホルダ同士を連結する梁部材のうち、少なくとも踏み板が架設される梁部材として梁部材１０を使用する。【選択図】図３
2018062754.tif 000002
【特許請求の範囲】
【請求項１】
上下に連通する断面コ字形のホルダの四つが、外周面に９０度間隔で配置されている連結ポイントを高さ方向に複数備えている支柱であって、四つの前記ホルダが、同一線上にある一対の低ホルダと、該低ホルダより高い位置で同一線上にある他の一対の高ホルダとからなる支柱と、
長棒状の第一本体の両端から、形状及び大きさが同一である第一楔部の一対が、同一方向に延出している第一梁部材と、
長棒状の第二本体の両端から、形状及び大きさが同一である第二楔部の一対が、同一方向に延出している第二梁部材であり、前記第二楔部それぞれの基部が前記第二本体の端面の一部に取り付けられていることにより、前記基部を除く前記第二楔部それぞれと前記端面との間に、前記第二楔部の先端が向かう方向に開口しているスリットが形成されている第二梁部材と、を具備し、
足場を構成する前記支柱の全てが、前記低ホルダ及び前記高ホルダの向きが同一となるように立設されており、
隣接する前記支柱の前記低ホルダ同士が、前記低ホルダに前記第一楔部を挿入した前記第一梁部材で連結されていると共に、
隣接する前記支柱の前記高ホルダ同士を連結する梁部材のうち、少なくとも踏み板が架設される梁部材として、前記高ホルダに前記第二楔部を挿入した前記第二梁部材が使用されており、
前記高ホルダの側壁を前記スリットに挿入しつつ、前記高ホルダに前記第二楔部を挿入している前記第二梁部材の高さは、この高ホルダと同一高さの前記連結ポイントに属する前記低ホルダに前記第一楔部を挿入している前記第一梁部材の高さと等しい
ことを特徴とする足場構造。
【請求項２】
長棒状の本体と、
形状及び大きさが同一であり、前記本体の両端からそれぞれ同一方向に延出している一対の楔部と、を具備し、
前記楔部それぞれの基部が、前記本体の端面の一部に取り付けられていることにより、前記基部を除く前記楔部それぞれと前記端面との間に、前記楔部の先端が向かう方向に開口しているスリットが形成されている
ことを特徴とする梁部材。
【発明の詳細な説明】
【技術分野】
【０００１】
本発明は、複数の支柱間に梁部材が連結され、一部の梁部材間に踏み板が架設されている足場構造、及び、該足場構造に使用される梁部材に関するものである。
【背景技術】
【０００２】
建物の周囲に仮設される足場としては、図８（ａ）に示すように、外周面に断面コ字形のホルダ５Ｈ，５Ｌが設けられた支柱Ｐを立設し、図８（ｂ）に示すように、長棒状の本体１０１の両端部から同一方向に同一の楔部１０５が延出している梁部材１００で、隣接する支柱Ｐを連結している足場が一般的である。支柱Ｐは、四つのホルダ５Ｈ，５Ｌからなる連結ポイント５を、高さ方向に複数備えている。四つのホルダ５Ｈ，５Ｌは同一の形状であり、一つの連結ポイント５において、平面視（立設した支柱を真上から見た状態）で９０度間隔に配置されている。同一線上にある一対のホルダ５Ｌは、これと直交する同一線上にある他の一対のホルダ５Ｈと、ホルダの高さにほぼ等しい距離だけ上下にずれている。
【０００３】
従って、隣接している支柱のそれぞれにおいて同じ高さにあるホルダ同士を、ホルダに楔部を挿入することによって梁部材で連結すると、梁部材が延びる方向は直交する二方向となる。これら二方向に延びる複数の梁部材は、足場の骨組みを構成すると共に、建物の壁面に直交する方向の梁部材の一部には踏み板が架け渡され、建物の壁面に平行な梁部材の一部で、踏み板より高い位置にあるものは手摺りとして使用される。
【０００４】
建物の角部を介して隣接している壁面に沿って足場が組まれる場合、すなわち、足場が直角に曲がるコーナー部を有する場合、従来では次のような問題があった。一般的な足場では、図６に示すように、足場を構築するすべての支柱Ｐを、ホルダ５Ｈ，５Ｌの方向が同一となるように立設する。つまり、支柱Ｐが一つの連結ポイント５に備える二対のホルダ５Ｈ，５Ｌのうち、高い位置にある一対のホルダ５Ｈを「高ホルダ５Ｈ」と称し、低い位置にある一対のホルダ５Ｌを「低ホルダ５Ｌ」と称すると、足場内の全ての支柱Ｐについて、一対の高ホルダ５Ｈを結ぶ直線は同一の方向（図示、Ｘ方向）であり、一対の低ホルダ５Ｌを結ぶ直線は同一の方向（図示、Ｙ方向）である。従って、例えば、隣接する支柱Ｐの高ホルダ５Ｈ同士を連結している梁部材１００の方向は、角部を介して隣接している壁面の一方に対しては平行であるが、壁面の他方に対しては直交する方向となる。
【０００５】
そのため、従来の足場では、建物の角部を介して隣接している壁面の一方に沿って組まれた部分の足場で、踏み板６が架設される梁部材１００（壁面に直交する方向の梁部材１００）が高ホルダ５Ｈ同士を連結している場合、角部を介して隣接している壁面の他方に沿って組まれた部分の足場では、踏み板６が架設される梁部材１００は低ホルダ５Ｌ同士を連結している。図３（ｃ）に示すように、高ホルダ５Ｈ同士を連結している梁部材１００と低ホルダ５Ｌ同士を連結している梁部材１００とでは、その高さに両ホルダ５Ｈ，５Ｌの高さの差に相当する差ができる。つまり、足場のコーナー部においては、隣接する踏み板６に段差ができてしまう。
【０００６】
同様に、建物の角部を介して隣接している壁面の一方に沿って組まれた部分の足場で、壁面に平行な方向の梁部材１００が低ホルダ５Ｌ同士を連結している場合、角部を介して隣接している壁面の他方に沿って組まれた部分の足場では、壁面に平行な方向な梁部材１００は高ホルダ５Ｈ同士を連結している。そのため、足場のコーナー部を介して、手摺りの高さも相違してしまう。足場を移動しながら作業を行う作業者にとって、踏み板６や手摺りの高さが移動の途中で変化することは、望ましいことではない。
【０００７】
そこで、本出願人は過去に、コーナー部で踏み板に段差ができず、手摺りの高さも同一となる足場構造、及び、該足場構造に使用される梁部材を提案している（特許文献１，２参照）。この足場構造では、建物の角部を介して隣接している壁面の一方に沿って組まれた部分の足場と、壁面の他方に沿って組まれた部分の足場とで、支柱Ｐの向きを異ならせる。具体的には、図７に示すように、足場における全ての支柱Ｐについて、低ホルダ５Ｌを建物の壁面に対面させる。これにより、基本的には、隣接する壁面の何れに沿う部分の足場においても、踏み板６が架設される梁部材１００（壁面に直交する方向の梁部材）は低ホルダ５Ｌ同士を連結することとなると共に、手摺りとなる梁部材１００は高ホルダ５Ｈ同士を連結することとなるため、踏み板６及び手摺りの高さがそれぞれ同一となる。
【０００８】
ただし、コーナー部で支柱Ｐの向きが９０度変わることにより、コーナー部では、一端は低ホルダ５Ｌに連結されて他端は高ホルダ５Ｈに連結されなければならない梁部材が生じることとなる。そこで、特許文献１，２の技術では、従来の梁部材１００、すなわち、長棒状の本体１０１の両端から同一の楔部１０５が同一方向に延出している梁部材１００に加えて、特殊な梁部材９を使用する。この梁部材９は、長棒状の本体９０の一端に上下方向に均等な長さで延出している第一の楔部９１を備えると共に、本体９０に対して上下方向の一方にオフセットされている第二の楔部９２を他端に備えるものである。第一の楔部９１において上下にそれぞれ延出している部分は、従来の梁部材１００の楔部１０５と同一である。
【０００９】
このような構成の梁部材９に踏み板６を架設する場合は、低ホルダ５Ｌに第一の楔部９１を挿入すると共に、第二の楔部９２において短く延出している方を高ホルダ５Ｈに挿入する。これにより、この梁部材９の高さを、低ホルダ５Ｌ同士を連結している他の梁部材１００と、同一の高さにすることができる。一方、梁部材９を手摺りとして使用する場合は、梁部材９を上下反転させ、高ホルダ５Ｈに第一の楔部９１を挿入すると共に、第二の楔部９２において長く延出している方を低ホルダ５Ｌに挿入する。これにより、この梁部材９の高さを、高ホルダ５Ｈ同士を連結している他の梁部材１００と、同一の高さにすることができる。
【００１０】
しかしながら、特許文献１，２の技術では、足場における部分によって支柱Ｐの向きを異ならせる必要があることに加え、梁部材９に踏み板６を架設する場合と、手摺りとして梁部材９を使用する場合とで、第二の楔部９２を挿入するホルダの高さが異なり、梁部材９を上下反転させる必要があるなど、足場を構築する作業が複雑であった。そのため、踏み板及び手摺りの高さをそれぞれ同一とすることができる足場を、より単純な作業で構築することに対する要請があった。
【先行技術文献】
【特許文献】
【００１１】
【特許文献１】特許第５１７４８５１号公報
【特許文献２】特許第５４１１８０４号公報
【発明の概要】
【発明が解決しようとする課題】
【００１２】
そこで、本発明は、上記の実情に鑑み、より単純な作業で、踏み板及び手摺りの高さをそれぞれコーナー部を介して同一とすることができる足場構造、及び、該足場構造に使用される梁部材の提供を、課題とするものである。
【課題を解決するための手段】
【００１３】
上記の課題を解決するため、本発明にかかる足場構造は、
「上下に連通する断面コ字形のホルダの四つが、外周面に９０度間隔で配置されている連結ポイントを高さ方向に複数備えている支柱であって、四つの前記ホルダが、同一線上にある一対の低ホルダと、該低ホルダより高い位置で同一線上にある他の一対の高ホルダとからなる支柱と、
長棒状の第一本体の両端から、形状及び大きさが同一である第一楔部の一対が、同一方向に延出している第一梁部材と、
長棒状の第二本体の両端から、形状及び大きさが同一である第二楔部の一対が、同一方向に延出している第二梁部材であり、前記第二楔部それぞれの基部が前記第二本体の端面の一部に取り付けられていることにより、前記基部を除く前記第二楔部それぞれと前記端面との間に、前記第二楔部の先端が向かう方向に開口しているスリットが形成されている第二梁部材と、を具備し、
足場を構成する前記支柱の全てが、前記低ホルダ及び前記高ホルダの向きが同一となるように立設されており、
隣接する前記支柱の前記低ホルダ同士が、前記低ホルダに前記第一楔部を挿入した前記第一梁部材で連結されていると共に、
隣接する前記支柱の前記高ホルダ同士を連結する梁部材のうち、少なくとも踏み板が架設される梁部材として、前記高ホルダに前記第二楔部を挿入した前記第二梁部材が使用されており、
前記高ホルダの側壁を前記スリットに挿入しつつ、前記高ホルダに前記第二楔部を挿入している前記第二梁部材の高さは、この高ホルダと同一高さの前記連結ポイントに属する前記低ホルダに前記第一楔部を挿入している前記第一梁部材の高さと等しい」
ことを特徴とするものである。なお、以下では、「高ホルダ」と「低ホルダ」とを特に区別する必要がない場合に、単に「ホルダ」と称することがある。
【００１４】
「支柱」としては、図８（ａ）を用いて上述した従来の支柱を使用することができ、「第一梁部材」としては、図８（ｂ）を用いて上述した従来の梁部材を使用することができる。
【００１５】
更に、本構成の足場構造では、全ての支柱を、高ホルダ及び低ホルダの向きが同一となるように立設することも、図６を用いて上述した従来の足場構造と同じである。従って、従来の足場構造と同様に、建物の角部を介して隣接している壁面に沿って足場が組まれる場合、すなわち、足場が直角に曲がるコーナー部を有する場合、壁面の一方に直交する方向に延びる梁部材と、壁面の他方に直交する方向に延びる梁部材とで、連結されるホルダの高さが異なる点も、従来の足場構造と同様である。壁面に直交する梁部材には、踏み板が架設されるものがあるため、そのままではコーナー部で踏み板に段差ができてしまう。当然ながら、壁面の一方に平行な梁部材と、壁面の他方に平行な梁部材とで、連結されるホルダの高さが異なる点も、従来の足場構造と同様である。壁面に平行な梁部材には、手摺りとして使用されるものがあるため、そのままではコーナー部を介して手摺りの高さが異なってしまう。
【００１６】
そこで、本構成の足場構造では、特徴的な構成の「第二梁部材」を使用する。第二梁部材は、長棒状の本体の両端から、形状及び大きさが同一である楔部（第二楔部）の一対が延出している点では、従来の梁部材と同様であるが、本体の端面と第二楔部との間に、第二楔部の先端が向かう方向に開口しているスリットを有している。そのため、第二楔部をホルダに挿入する際、ホルダの側壁をスリットに挿入することが可能である。これにより、第二楔部をホルダに挿入した第二梁部材の高さは、このようなスリットが無い第一梁部材の第一楔部を、同じホルダに挿入した場合の高さより低くなる。そして、本構成では更に、「高ホルダの側壁をスリットに挿入しつつ、高ホルダに第二楔部を挿入している第二梁部材の高さ」が、「この高ホルダと同一高さの連結ポイントに属する低ホルダに第一楔部を挿入している第一梁部材の高さ」と等しくなるように設定される。
【００１７】
加えて、本構成の足場構造では、隣接する支柱の低ホルダ同士を連結している梁部材を第一梁部材とする。これにより、建物の角部を介して隣接している壁面に沿って組まれている足場では、壁面の一方に沿う足場部分（以下、「第一足場部分」と称する）において壁面に直交する方向となる梁部材は、踏み板が架設される梁部材を含めて全て低ホルダ同士を連結している第一梁部材となり、壁面の他方に沿う足場部分（以下、「第二足場部分」と称する）において壁面に直交する方向となる梁部材は、踏み板が架設される梁部材を含めて全て、高ホルダ同士を連結する梁部材である。従って、第二足場部分で、壁面に直交する方向に高ホルダ同士を連結している梁部材のうち、少なくとも踏み板が架設される梁部材を第二梁部材とすれば、足場において踏み板が架設される全ての梁部材の高さが等しくなるため、コーナー部で踏み板に段差が生じない足場構造となる。
【００１８】
また、第二足場部分で壁面に平行な方向となる梁部材は、手摺りとして使用される梁部材を含めて全て低ホルダ同士を連結している第一梁部材となり、第一足場部分において壁面に平行な方向となる梁部材は、手摺りとして使用される梁部材を含めて全て、高ホルダ同士を連結する梁部材である。そのため、第一足場部分で、壁面に平行に高ホルダ同士を連結している梁部材のうち、手摺りとして使用される梁部材についても第二梁部材とすれば、足場において手摺りとして使用される全ての梁部材の高さが等しくなる。
【００１９】
従って、本構成の足場構造は、支柱の向きは全て同一とすれば良いことに加え、隣接する支柱の低ホルダ同士を連結する梁部材は全て第一梁部材とすれば良く、第一梁部材としては従来の梁部材を使用可能である。そして、隣接する支柱の高ホルダ同士を連結する梁部材のうち、踏み板が架設される梁部材を含めて、第一梁部材と同じ高さにしたい梁部材のみに、第二梁部材を使用すれば良い。加えて、第二梁部材は、特許文献１，２の梁部材９とは異なり、両端の楔部が同一であり、踏み板を架設する場合と手摺りとして使用する場合とで上下反転させる必要がない。そのため、本構成の足場部材によれば、極めて単純な作業で、踏み板及び手摺りの高さをそれぞれ同一とすることができる。
【００２０】
なお、図７を用いて説明した特許文献１，２の足場構造では、踏み板６を架設する梁部材でも手摺りとして使用される梁部材でもなく、単に足場の骨組みとして機能し、隣接する梁部材と高さを揃える必要がない梁部材であっても、コーナー部では特殊な構成の梁部材９を使用する必要があった。これに対し、本構成の足場構造では、高ホルダ同士を連結している梁部材のうち、低ホルダ同士を連結している第一梁部材と同じ高さにしたい梁部材のみに、第二梁部材を使用すれば足りるという利点を有している。
【００２１】
次に、本発明にかかる梁部材は、
「長棒状の本体と、
形状及び大きさが同一であり、前記本体の両端からそれぞれ同一方向に延出している一対の楔部と、を具備し、
前記楔部それぞれの基部が、前記本体の端面の一部に取り付けられていることにより、前記基部を除く前記楔部それぞれと前記端面との間に、前記楔部の先端が向かう方向に開口しているスリットが形成されている」ものである。
【００２２】
これは、上記の足場構造に使用される第二梁部材の構成である。このような特殊な構成の梁部材を使用することにより、上述したように、踏み板が架設される全ての梁部材の高さが等しい足場構造、及び、更に手摺りとして使用される全ての梁部材の高さが等しい足場構造を、構築することができる。
【発明の効果】
【００２３】
以上のように、本発明の効果として、より単純な作業で、踏み板及び手摺りの高さをそれぞれコーナー部を介して同一とすることができる足場構造、及び、該足場構造に使用される梁部材を、提供することができる。
【図面の簡単な説明】
【００２４】
【図１】本発明の一実施形態である梁部材（第二梁部材）の側面図である。
【図２】図１の梁部材の斜視図である。
【図３】（ａ）高ホルダに連結された図１の梁部材と、同一高さの連結ポイントに属する低ホルダに連結された従来の梁部材（第一梁部材）の高さの関係を示す図であり、（ｂ）図１の梁部材の高さの設定を説明する図であり、（ｃ）従来の梁部材を同一高さの連結ポイントに属する高ホルダと低ホルダに連結した場合の高さの関係を示す図である。
【図４】本発明の一実施形態である足場構造であり、隣接する支柱の高ホルダ同士を連結する梁部材のうち、踏み板が連結される梁部材に図１の梁部材を使用した足場構造を示す斜視図である。
【図５】本発明の一実施形態である足場構造であり、図４の構成に加え、隣接する支柱の高ホルダ同士を連結する梁部材のうち、手摺りとして使用される梁部材にも図１の梁部材を使用した足場構造を示す斜視図である。
【図６】従来の梁部材のみを使用した従来の足場構造を示す斜視図である。
【図７】特許文献１，２の足場構造を示す斜視図である。
【図８】（ａ）従来の支柱の斜視図であり、（ｂ）従来の梁部材の側面図である。
【発明を実施するための形態】
【００２５】
以下、本発明の一実施形態である足場構造、及び、該足場構造に使用される梁部材について、主に図１乃至図５を用いて説明する。
【００２６】
本実施形態の足場構造は、支柱Ｐ、梁部材１００、梁部材１０、及び、踏み板６を使用して構築される。支柱Ｐは、図８（ａ）を用いて上述した従来の支柱と同一の構成であり、上下に連通する断面コ字形のホルダ５Ｈ，５Ｌの四つが、外周面に９０度間隔で配置されている連結ポイント５を、高さ方向に複数備えているものである。一つの連結ポイント５において四つのホルダ５Ｈ，５Ｌは、同一線上にある一対の低ホルダ５Ｌと、低ホルダ５Ｌより高い位置で同一線上にある他の一対の高ホルダ５Ｈとからなる。低ホルダ５Ｌと高ホルダ５Ｈは、支柱Ｐにおける位置が相違するのみで、形状及び大きさは同一である。
【００２７】
梁部材１００は、本発明の「第一梁部材」に相当し、図８（ｂ）を用いて上述した従来の梁部材である。すなわち、梁部材１００は、長棒状の本体１０１の両端から、形状及び大きさが同一である楔部１０５の一対が、同一方向に延出しているものである。
【００２８】
梁部材１０は、本発明の「第二梁部材」に相当し、図１，２に示すように、長棒状の本体１１の両端から、形状及び大きさが同一である楔部１５の一対が、同一方向に延出しているものであって、楔部１５それぞれの基部１５ｂが本体１１の端面の一部に取り付けられていることにより、基部１５ｂを除く楔部１５それぞれと本体１１の端面との間に、楔部１５の先端が向かう方向に開口しているスリット１７が形成されている。この梁部材１０は、隣接する支柱Ｐの高ホルダ５Ｈ同士を連結する梁部材の一部として、使用される。梁部材１０の楔部１５のうち高ホルダ５Ｈに挿入される部分は、高ホルダ５Ｈの内周面に沿う形状及び大きさであり、梁部材１００の楔部１０５のうちホルダ５Ｈ，５Ｌに挿入される部分と、形状及び大きさが同一である。
【００２９】
上記の構成により、梁部材１０では、楔部１５をホルダ５Ｈに挿入する際、ホルダ５Ｈの側壁をスリット１７に挿入することが可能である。これにより、楔部１５をホルダ５Ｈに挿入した梁部材１０の高さは、このようなスリットが無い梁部材１００の楔部１０５を、同じホルダ５Ｈに挿入した場合の高さより低くなる。加えて、本実施形態では、図３（ａ）に示すように、高ホルダ５Ｈの側壁をスリット１７に挿入しつつ、高ホルダ５Ｈに楔部１５を挿入している状態の梁部材１０の高さが、この高ホルダ５Ｈと同一高さの連結ポイント５に属する低ホルダ５Ｌに楔部１０５を挿入している状態の梁部材１００の高さと、等しくなるように設定されている。
【００３０】
つまり、図３（ｂ）に示すように、高ホルダ５Ｈに連結された状態の梁部材１０において、高ホルダ５Ｈの上端辺から梁部材１０の本体１１の上端辺までの距離Ｌ１が、低ホルダ５Ｌに連結された状態の梁部材１００において、低ホルダ５Ｌの上端辺から梁部材１００の本体１０１の上端辺までの距離Ｌ２から、高ホルダ５Ｈの高さｈ（低ホルダ５Ｌの高さに等しい）と、高ホルダ５Ｈの下端辺と低ホルダ５Ｌの上端辺との距離ｄとを差し引いた距離（Ｌ１＝Ｌ２−ｈ−ｄ）となるように、スリット１７の長さ（本体１１に対する基部１５ｂの位置）が設定される。
【００３１】
踏み板６は、従前より使用されている一般的な踏み板であり、長方形の板材の一対の短辺のそれぞれに、梁部材に引き掛けるフックを備えている。
【００３２】
本実施形態の足場構造では、図４に示すように、全ての支柱Ｐを、高ホルダ５Ｈ及び低ホルダ５Ｌの向きが同一となるように立設する。ここでは、高ホルダ５ＨがＸ方向の線上にあり、Ｘ方向に直交するＹ方向の線上に低ホルダ５Ｌが位置する場合を図示している。このように、全ての支柱Ｐの向きを同一とすると、建物の角部を介して隣接している壁面に沿って足場が組まれることによって、図示のように、コーナー部を介して直角をなしている第一足場部分１ａと第二足場部分１ｂとから足場がなる場合、第一足場部分１ａで壁面に直交する方向に延びる梁部材は、隣接する支柱Ｐの低ホルダ５Ｌ同士を連結することとなり、第二足場部分１ｂで壁面に直交する方向に延びる梁部材は、隣接する支柱Ｐの高ホルダ５Ｈ同士を連結することとなる。また、第一足場部分１ａで壁面に平行な方向に延びる梁部材は、隣接する支柱Ｐの高ホルダ５Ｈ同士連結することとなり、第二足場部分１ｂで壁面に平行な方向に延びる梁部材は、隣接する支柱Ｐの低ホルダ５Ｌ同士を連結することとなる。
【００３３】
本実施形態の足場構造では、隣接する支柱Ｐの低ホルダ５Ｌ同士を連結している全ての梁部材として、従来の梁部材１００を使用する。これにより、第一足場部分１ａにおいて壁面に直交する方向となる梁部材は、踏み板６が架設される梁部材を含めて全て低ホルダ５Ｌ同士を連結している梁部材１００となり、第二足場部１ｂにおいて壁面に直交する方向となる梁部材は、踏み板６が架設される梁部材を含めて全てが、高ホルダ５Ｈ同士を連結している。従って、第二足場部分１ｂにおいて、壁面に直交する方向に高ホルダ５Ｈ同士を連結している梁部材のうち、少なくとも踏み板６が架設される梁部材を梁部材１０とすれば、第一足場部分１ａにおいて低ホルダ５Ｌ同士を連結している梁部材１００と高さが等しくなるため、コーナー部で踏み板６に段差が生じない足場構造となる。
【００３４】
一方、第二足場部分１ｂで壁面に平行な方向となる梁部材は、手摺りとして使用される梁部材を含めて全て低ホルダ５Ｌ同士を連結している梁部材１００となり、第一足場部分１ａにおいて壁面に平行な方向となる梁部材は、手摺りとして使用される梁部材を含めて全て、高ホルダ５Ｈ同士を連結する梁部材である。図４に示す足場構造は、高ホルダ５Ｈ同士を連結している梁部材のうち、踏み板６が架設される梁部材を除く全ての梁部材に従来の梁部材１００を使用している例であり、手摺りとして使用される梁部材は、コーナー部を介して高さが変化している。
【００３５】
これに対し、図５に示す足場構造は、図４に示した足場構造に加え、第一足場部分１ａで、高ホルダ５Ｈ同士を連結している梁部材（壁面に平行な梁部材）のうち、手摺りとして使用される梁部材についても梁部材１０を使用している例である。このようにすることにより、足場において手摺りとして使用される全ての梁部材の高さが、同一となる。
【００３６】
以上のように、図４及び図５の足場構造は、支柱Ｐの向きは全て同一とすれば良いことに加え、隣接する支柱Ｐの低ホルダ５Ｌ同士を連結する梁部材は全て、従来の梁部材１００を使用する。そして、図４の足場構造では、隣接する支柱Ｐの高ホルダ５Ｈ同士を連結する梁部材のうち、踏み板６が架設される梁部材のみに梁部材１０を使用するという極めて単純な作業で、踏み板６の高さをコーナー部を介して同一とすることができる。
【００３７】
また、図５の足場構造では、図４の足場構造に加えて、隣接する支柱Ｐの高ホルダ５Ｈ同士を連結する梁部材のうち、手摺りとして使用される梁部材にも梁部材１０を使用するという極めて単純な作業で、踏み板６及び手摺りの高さを、それぞれコーナー部を介して同一とすることができる。
【００３８】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３９】
例えば、図５の足場構造では、手摺りとして使用される梁部材として、支柱Ｐにおいて下から四つ目の連結ポイント５に属する高ホルダ５Ｈ同士を連結している梁部材に、梁部材１０を使用する場合を例示した。これに限定されず、第一足場部分１ａにおいて、踏み板６より高い位置で高ホルダ５Ｈ同士を連結している梁部材の全てを梁部材１０とすることができる。これにより、踏み板６より高い位置で、コーナー部を介して壁面に平行な方向に延びる梁部材の全てを、同一の高さとすることができる。
【符号の説明】
【００４０】
５  連結ポイント
５Ｈ  高ホルダ（ホルダ）
５Ｌ  低ホルダ（ホルダ）
１０  梁部材（第二梁部材）
１１  本体（第二本体）
１５  楔部（第二楔部）
１５ｂ  基部
１７  スリット
１００  梁部材（第一梁部材、従来の梁部材）
１０１  本体（第一本体）
１０５  楔部（第一楔部）
Ｐ  支柱
【図１】
2018062754.tif 000003
【図２】
2018062754.tif 000004
【図３】
2018062754.tif 000005
【図４】
2018062754.tif 000006
【図５】
2018062754.tif 000007
【図６】
2018062754.tif 000008
【図７】
2018062754.tif 000009
【図８】
2018062754.tif 000010